【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
活性化フルオロポリマーとキトサン被膜とを含み、少なくとも１つの表面を各々が有するフィルムまたは物品であって、前記活性化フルオロポリマー表面が活性化時にアミノ反応性官能基を含み、それによって、前記少なくとも１つの表面のキトサン濃度が微生物成長を抑えるのに十分であるように前記アミノ反応性官能基が前記キトサン被膜と化学的に反応することを特徴とするフィルムまたは物品。
【請求項２】
請求項１に記載のフィルムを含む物品であって、前記物品が大量輸送用の車両のための、室内天井または側壁パネル、窓日除け、貯蔵ビン、便所、ギャラリー、トレーテーブル、パーソナルサービスユニット、座席、バルクヘッド間仕切、絶縁障壁、水分障壁、貨物ビンライナーまたは複合ノイズパネルからなる群から選択されることを特徴とする物品。
【請求項３】
請求項１に記載の抗菌フィルムを含む物品であって、前記物品が壁カバー、天井または防音タイル、熱材料または防音材料のための袋詰フィルム、ガラス繊維強化プラスチックパネル、金属建物パネル、形状適合性建物パネルまたは空気詰め構造体のための柔軟性積層物、天蓋、日除けまたはスタジアムドームからなる群から選択されることを特徴とする物品。
【請求項４】
請求項１に記載のフィルムと基材とを含むことを特徴とする積層フィルム構造体。
【請求項５】
フィルムまたは物品を抗菌性にする方法であって、
ａ．重合されたときにアミノ反応性官能基を含まないフルオロポリマーを含む少なくとも１つの表面を含むフィルムまたは物品を提供する工程と、
ｂ．前記フィルムまたは前記物品の前記少なくとも１つの表面を活性化して活性化フィルムまたは活性化物品を製造する工程と、
ｃ．前記活性化フィルムまたは活性化物品の前記少なくとも１つの表面のキトサン濃度が微生物成長を抑えるのに十分であるようにキトサンを含む溶液に前記活性化フィルムまたは活性化物品を接触させる工程と、
ｄ．前記接触させたフィルムまたは前記接触させた物品を乾燥させる工程と、
を含むことを特徴とする方法。
【請求項６】
請求項１に記載のフィルムまたは物品を再活性化する方法であって、
ａ．前記フィルムまたは前記物品の少なくとも１つの表面を活性化して活性化フィルムまたは活性化物品を製造する工程と、
ｂ．前記活性化フィルムまたは前記活性化物品の少なくとも１つの表面のキトサン濃度が微生物成長を抑えるのに十分であるようにキトサンを含む溶液に前記活性化フィルムまたは活性化物品を接触させる工程と、
ｃ．前記接触させたフィルムまたは前記接触させた物品を乾燥させる工程と、
ｄ．任意選択的に、工程ｂ〜ｄを繰り返す工程と、
を含むことを特徴とする方法。
【手続補正２】
【補正対象書類名】明細書
【補正対象項目名】００７９
【補正方法】変更
【補正の内容】
【００７９】
【表１】
2008535938.tif 000001
本発明は以下の実施の態様を含むものである。
１．活性化フルオロポリマーとキトサン被膜とを含み、少なくとも１つの表面を各々が有するフィルムまたは物品であって、前記活性化フルオロポリマー表面が活性化時にアミノ反応性官能基を含み、それによって、前記少なくとも１つの表面のキトサン濃度が微生物成長を抑えるのに十分であるように前記アミノ反応性官能基が前記キトサン被膜と化学的に反応することを特徴とするフィルムまたは物品。
２．大量輸送用の車両のための、室内天井または側壁パネル、窓日除け、貯蔵ビン、便所、ギャラリー、トレーテーブル、パーソナルサービスユニット、座席、バルクヘッド間仕切、絶縁障壁、水分障壁、貨物ビンライナーまたは複合ノイズパネルからなる群から選択されることを特徴とする前記１に記載の物品。
３．壁カバー、天井または防音タイル、熱材料または防音材料のための袋詰フィルム、ガラス繊維強化プラスチックパネル、金属建物パネル、形状適合性建物パネルまたは空気詰め構造体のための柔軟性積層物、天蓋、日除けまたはスタジアムドームからなる群から選択されることを特徴とする前記１に記載の物品。
４．前記１に記載のフィルムを含む物品であって、前記物品が大量輸送用の車両のための、室内天井または側壁パネル、窓日除け、貯蔵ビン、便所、ギャラリー、トレーテーブル、パーソナルサービスユニット、座席、バルクヘッド間仕切、絶縁障壁、水分障壁、貨物ビンライナーまたは複合ノイズパネルからなる群から選択されることを特徴とする物品。
５．大量輸送用の車両が航空機、貨車、バス、地下鉄車両、トロリー車両、バンまたは船艇であることを特徴とする前記４に記載の物品。
６．前記１に記載の抗菌フィルムを含む物品であって、前記物品が壁カバー、天井または防音タイル、熱材料または防音材料のための袋詰フィルム、ガラス繊維強化プラスチックパネル、金属建物パネル、形状適合性建物パネルまたは空気詰め構造体のための柔軟性積層物、天蓋、日除けまたはスタジアムドームからなる群から選択されることを特徴とする物品。
７．前記フルオロポリマーが弗素化エチレン／プロピレンコポリマー、エチレン／テトラフルオロエチレンコポリマー、ペルフルオロビニルエーテル／テトラフルオロエチレンコポリマー、エチレン／クロロトリフルオロエチレンコポリマー、弗化ビニリデン／ヘキサフルオロプロピレンコポリマー、ジポリマー、弗化ビニリデン／ペルフルオロ（アルキルビニルエーテル）ジポリマーおよびテトラフルオロエチレンとのターポリマー、ポリ弗化ビニリデンまたはポリ弗化ビニリデンとアクリルポリマーのブレンドおよびポリ弗化ビニルからなる群から選択されることを特徴とする前記１に記載のフィルムまたは物品。
８．前記１に記載のフィルムと基材とを含むことを特徴とする積層フィルム構造体。
９．前記基材がガラス繊維強化プラスチック、金属、セルロース質基材、セメント、アスファルト、メラミン複合材、アラミド、布地、ビニル布地、ビニル壁カバーおよび熱可塑性ポリマーからなる群から選択されることを特徴とする前記８に記載の積層フィルム構造体。
１０．前記アラミド基材がｍ−フェニレンテレフタルアミドの紙、シートまたはハニカム構造体を含むことを特徴とする前記９に記載の積層フィルム構造体。
１１．前記熱可塑性ポリマーがポリオレフィン、ポリエステル、ポリアミド、ポリ塩化ビニル、ポリカーボネート、アクリロニトリル／ブタジエン／スチレン、ポリスチレン、ポリメチルメタクリレート、ポリアリールエーテルケトン、ポリエーテルスルホン、ポリエーテルイミドおよび液晶ポリマーからなる群から選択されることを特徴とする前記１０に記載の積層フィルム構造体。
１２．フィルムまたは物品を抗菌性にする方法であって、
ａ．重合されたときにアミノ反応性官能基を含まないフルオロポリマーを含む少なくとも１つの表面を含むフィルムまたは物品を提供する工程と、
ｂ．前記フィルムまたは前記物品の前記少なくとも１つの表面を活性化して活性化フィルムまたは活性化物品を製造する工程と、
ｃ．前記活性化フィルムまたは活性化物品の前記少なくとも１つの表面のキトサン濃度が微生物成長を抑えるのに十分であるようにキトサンを含む溶液に前記活性化フィルムまたは活性化物品を接触させる工程と、
ｄ．前記接触させたフィルムまたは前記接触させた物品を乾燥させる工程と、
を含むことを特徴とする方法。
１３．キトサンと金属塩の錯体を含む溶液に前記活性化フィルムまたは前記活性化物品を接触させることを特徴とする前記１２に記載の方法。
１４．前記金属塩が硫酸亜鉛、硫酸銅、硝酸銀、銅のあらゆる水溶性塩、亜鉛のあらゆる水溶性塩、銀のあらゆる水溶性塩およびこれらの混合物からなる群から選択されることを特徴とする前記１３に記載の方法。
１５．キトサンと金属塩の錯体を製造する方法が、
ａ．酸溶液に０．２５〜８．０重量％のキトサンを溶解させる工程と、
ｂ．工程ａの生成物に銀塩の溶液を添加する工程と、
ｃ．攪拌しつつ工程ｂの生成物に水を添加する工程と、
ｄ．塩基性溶液を添加し、それによって工程ｃの生成物のｐＨを８に上げる工程と、
ｅ．工程ｄの生成物を濾過する工程と、
ｆ．工程ｅで得られた生成物を水で洗浄する工程と、
ｇ．工程ｆで得られた固形物をアセトニトリルで洗浄する工程と、
ｈ．工程ｇで得られた固形物を真空下で乾燥させる工程と、
ｉ．任意選択的に、工程ｈの乾燥生成物を微細粉末に粉砕する工程と、
を含むことを特徴とする前記１３に記載の方法。
１６．前記キトサンの分子量が約５０，０００〜約１，０００，０００の範囲内であり、前記キトサンの脱アセチル度が少なくとも５０％であることを特徴とする前記１２に記載の方法。
１７．前記キトサンの分子量が約６０，０００〜約８０，０００の範囲内であり、前記キトサンの脱アセチル度が少なくとも８５％であることを特徴とする前記１２に記載の方法。
１８．前記１に記載のフィルムまたは物品を再活性化する方法であって、
ａ．前記フィルムまたは前記物品の少なくとも１つの表面を活性化して活性化フィルムまたは活性化物品を製造する工程と、
ｂ．前記活性化フィルムまたは前記活性化物品の少なくとも１つの表面のキトサン濃度が微生物成長を抑えるのに十分であるようにキトサンを含む溶液に前記活性化フィルムまたは活性化物品を接触させる工程と、
ｃ．前記接触させたフィルムまたは前記接触させた物品を乾燥させる工程と、
ｄ．任意選択的に、工程ｂ〜ｄを繰り返す工程と、
を含むことを特徴とする方法。